(57)【要約】【課題】フライバックトランスのレギュレーション特性に起因した、画面の明暗変化に伴う水平偏向振幅変動を、低コストで簡易に抑制するテレビジョン、及び水平振幅変化抑制方法を提供する。【解決手段】ＡＣＬ端子１６ａと水平糸巻き歪補正回路１５間を抵抗Ｒ１４を介して接続し、パラボラ波状の水平糸巻き歪補正電圧にＡＣＬ端子電圧を重畳補正することで、フライバックトランス１６のレギュレーション特性に起因した、輝度変化に伴う水平振幅変化を抑制せしめる。【選択図】図４
2006287436.tif 000002
【特許請求の範囲】
【請求項１】
電子銃から放出された電子ビームを偏向コイルによって偏向し、蛍光面に衝突し発光する受像管を有するテレビジョンであって、
当該テレビジョンは、
入力した映像信号をカソードアンプにより増幅し、入力する受像管と、
当該受像管のアノード電極に高圧を出力するフライバックトランスと、
入力される当該フライバックトランスのＡＣＬ端子電圧の変化に基づき、受像管に表示される画像の明るさを所定の輝度に制限するＡＣＬ回路と、
水平同期パルスからののこぎり波状の水平ドライブ信号を生成し、当該水平ドライブ信号を水平偏向コイルに出力する水平偏向回路と、
パラボラ波状の水平糸巻き歪補正電圧を生成するとともに当該水平糸巻き歪補正電圧に基づいて前記水平ドライブ信号を変調させる水平糸巻き歪補正回路とを有し、
前記ＡＣＬ端子電圧は、受像管に表示される画像の明るさが増加するのに応じて低下する相関関係を持ち、
前記ＡＣＬ端子と前記水平糸巻き歪補正回路間を抵抗を介して接続して、水平糸巻き歪補正回路が生成するパラボラ波状の水平糸巻き歪補正電圧に前記ＡＣＬ端子電圧を重畳し、前記水平糸巻き歪補正電圧を補正した上で水平ドライブ信号を変調させることで、当該水平ドライブ信号に受像管に表示される画像の明るさに応じた変化を持たせ、
前記フライバックトランスのレギュレーション特性に起因した、輝度変化に伴う水平振幅変化を抑制せしめることを特徴とする、テレビジョン。
【請求項２】
電子銃から放出された電子ビームを偏向コイルによって偏向し、蛍光面に衝突し発光する受像管を有するテレビジョンであって、
当該テレビジョンは、
当該受像管のアノード電極に高圧を出力するフライバックトランスと、
入力される当該フライバックトランスのＡＣＬ端子電圧の変化に基づき、受像管に表示される画像の明るさを所定の輝度に制限するＡＣＬ回路と、
水平同期パルスからののこぎり波状の水平ドライブ信号を生成し、当該水平ドライブ信号を水平偏向コイルに出力する水平偏向回路と、
パラボラ波状の水平糸巻き歪補正電圧を生成するとともに当該水平糸巻き歪補正電圧に基づいて前記水平ドライブ信号を変調させる水平糸巻き歪補正回路とを有し、
前記ＡＣＬ端子と前記水平糸巻き歪補正回路間を抵抗を介して接続したことを特徴とする、テレビジョン。
【請求項３】
前記ＡＣＬ端子電圧は、受像管に表示される画像の明るさが増加するのに応じて低下する相関関係を持ち、
前記ＡＣＬ端子と前記水平糸巻き歪補正回路間を抵抗を介して接続して、水平糸巻き歪補正回路が生成するパラボラ波状の水平糸巻き歪補正電圧に前記ＡＣＬ端子電圧を重畳し、前記水平糸巻き歪補正電圧を補正した上で水平ドライブ信号を変調させることで、当該水平ドライブ信号に受像管に表示される画像の明るさに応じた変化を持たせ、
前記フライバックトランスのレギュレーション特性に起因した、輝度変化に伴う水平振幅変化を抑制せしめることを特徴とする、テレビジョン。
【請求項４】
フライバックトランスのレギュレーション特性に起因した、テレビ画像の明るさ変化に伴う受像管における水平振幅変化を抑制する水平振幅変化抑制方法であって、
受像管のアノード電極に高圧を出力するフライバックトランスから画像の明るさを所定の輝度に制限するＡＣＬ回路に受像管に表示される画像の明るさが増加するのに応じて低下するＡＣＬ端子電圧を入力するＡＣＬ端子を、水平偏向回路が水平偏向コイルに出力する水平ドライブ信号を変調させる水平糸巻き歪補正回路と、抵抗を介して接続し、当該水平糸巻き歪補正回路が生成するパラボラ波状の水平糸巻き歪補正電圧に前記ＡＣＬ端子電圧を重畳し、前記水平糸巻き歪補正電圧を補正した上で水平ドライブ信号を変調させることで、当該水平ドライブ信号に受像管に表示される画像の明るさに応じた変化を持たせ、
前記フライバックトランスのレギュレーション特性に起因した、輝度変化に伴う水平振幅変化を抑制せしめることを特徴とする、水平振幅変化抑制方法。
【発明の詳細な説明】
【技術分野】
【０００１】
本発明は、電子銃から放出された電子ビームを偏向ヨークによって偏向し、蛍光面に衝突し発光する受像管を有するテレビジョン、及びフライバックトランスのレギュレーション特性に起因した、テレビ画像の明るさ変化に伴う受像管における水平振幅変化を抑制する水平振幅変化抑制方法に関する。
【背景技術】
【０００２】
受像管における偏向においては、受像管の画面に表示される映像信号の明るさに応じて水平偏向における偏向振幅が変動する。
【０００３】
即ち、受像管の画面に表示される映像信号が明るくなった場合には、アノード電圧が下がることにより水平偏向振幅が大きくなる一方、受像管の画面に表示される映像信号が暗くなった場合には、逆にアノード電圧が上がることにより水平偏向振幅が小さくなる。
【０００４】
従来、こうした、水平偏向における偏向振幅の変動を防止するために、ＡＢＬ回路またはＡＣＬ回路により受像管のビーム電流量を検出し、ビーム電流量が多いときにはカソードアンプに出力される映像信号の輝度を制限することにより、ビーム電流が過大とならないようにする方法が知られていた。
【０００５】
かかる構成によれば、ビーム電流が過大となることが防止されるため、高圧の電位が低下しにくく水平偏向における偏向振幅が広がることを防止することが可能である。
【０００６】
又、水平偏向振幅は、上述したような受像管の画面に表示される映像信号の明るさによる変動の他に、受像管の画面の曲率半径に起因する歪みが生じる。
【０００７】
即ち、電子ビームを受像管の管面に投射する電子銃は、受像管の管面の幅方向および高さ方向の略中央位置に配設される。従って、受像管の管面はやや球面を帯びるものの略平面状に形成されるため、電子銃と受像管の管面との距離は同管面の中央から外縁に近づくにつれて長くなる。すなわち、受像管の管面の中央部に投射される電子ビームは、同管面の外縁に投射される電子ビームより経路が短く偏向されにくい。この結果、放物線状の糸巻き歪みが発生することとなる。
【０００８】
従来、こうした水平糸巻き歪を解消する方法として、水平糸巻き歪補正回路による補正を行う方法が一般に行われている。
【０００９】
当該水平糸巻き歪補正回路は、パラボラ波状の水平糸巻き歪補正電圧を生成するとともに当該水平糸巻き歪補正電圧に基づいて、水平偏向回路により水平偏向コイルに出力されるのこぎり波状の水平ドライブ信号を変調させる。
【００１０】
かかる構成によれば、水平糸巻き歪補正電圧で変調された水平ドライブ信号により、糸巻き歪みを補正することができる。
【００１１】
ところで、実際のフライバックトランスのレギュレーション特性は、コストやサイズ等との兼ね合いからある一定レベルで妥協せざるを得ず、大きな内部インピーダンス、分布容量、インダクタンス成分を持ち、理想トランスと比してレギュレーション特性が劣ることとなっている。
【００１２】
こうした、実際のフライバックトランスのレギュレーション特性に起因し、前述したＡＣＬ回路による映像信号の輝度制限を行っているにも係らず、映像信号の明暗の変化に伴い、水平偏向振幅が未だ変動してしまうことになっていた。
【００１３】
こうした水平偏向振幅の変動を抑える構成として、以下のような従来技術が知られていた。
【００１４】
実開平５−３６９７４号公報（特許文献１）には、輝度変化をさせた場合に生じる電源電圧の変動から発生する水平振幅の変化を、フライバックトランスの高圧ビーム電流を検出し、この検出出力で水平振幅設定のための偏向電流制御回路に加えられる電圧を制御して、輝度変化によって生じる水平振幅変化を常に一定振幅に補正している。
【００１５】
特開平１１−７５０８０号公報（特許文献２）には、テレビの画面の明るさが変化した時に起こる水平振幅の変動を自動的に補正する水平出力回路と変調源とを組み合わせて使用し、水平出力回路のコンデンサの電圧変動が変調源の出力端に影響する割合を減少させる手段として、抵抗を設けている。これによって、画面の明るさが変化した時にも水平振幅自動補正機能を有効に働かさせることができる。
【００１６】
特開２００４−３４９２８９号公報（特許文献３）には、ＡＣＬ電圧を、電源装置の出力をフィードバックするフィードバック回路に２つのトランジスタを介して入力することで、受像管の管面輝度に基づき電源装置の出力電圧を制御すると共に、水平方向の画像幅を一定にしている。
【発明の開示】
【発明が解決しようとする課題】
【００１７】
しかしながら、上述した特許文献１においては、フライバックトランスの高圧ビーム電流を検出し、この検出出力で水平振幅設定のための偏向電流制御回路に加えられる電圧を制御するため、制御回路が複雑となり、コストアップに繋がるという問題を抱えている。
【００１８】
又、特許文献２においては、フライバックトランスのレギュレーション特性に起因した高圧ビームの変動を、十分に抑制することができない。
【００１９】
更に、特許文献３においては、ＡＣＬ電圧をフィードバック回路に入力するためには、トランジスタを介する必要があり、やはりコストアップに繋がるという問題を抱えている。
【００２０】
本発明は、上記課題にかんがみてなされたもので、フライバックトランスのレギュレーション特性に起因した、映像信号の明暗の変化に伴う水平偏向振幅（高圧）の変動を、低コストで簡易に抑制するテレビジョン、及び水平振幅変化抑制方法を提供することを目的とする。
【課題を解決するための手段】
【００２１】
上記問題を解決する為に請求項１に記載の発明は、電子銃から放出された電子ビームを偏向コイルによって偏向し、蛍光面に衝突し発光する受像管を有するテレビジョンであって、当該テレビジョンは、入力した映像信号をカソードアンプにより増幅し、入力する受像管と、当該受像管のアノード電極に高圧を出力するフライバックトランスと、入力される当該フライバックトランスのＡＣＬ端子電圧の変化に基づき、受像管に表示される画像の明るさを所定の輝度に制限するＡＣＬ回路と、水平同期パルスからののこぎり波状の水平ドライブ信号を生成し、当該水平ドライブ信号を水平偏向コイルに出力する水平偏向回路と、パラボラ波状の水平糸巻き歪補正電圧を生成するとともに当該水平糸巻き歪補正電圧に基づいて前記水平ドライブ信号を変調させる水平糸巻き歪補正回路とを有し、前記ＡＣＬ端子電圧は、受像管に表示される画像の明るさが増加するのに応じて低下する相関関係を持ち、前記ＡＣＬ端子と前記水平糸巻き歪補正回路間を抵抗を介して接続して、水平糸巻き歪補正回路が生成するパラボラ波状の水平糸巻き歪補正電圧に前記ＡＣＬ端子電圧を重畳し、前記水平糸巻き歪補正電圧を補正した上で水平ドライブ信号を変調させることで、当該水平ドライブ信号に受像管に表示される画像の明るさに応じた変化を持たせ、前記フライバックトランスのレギュレーション特性に起因した、輝度変化に伴う水平振幅変化を抑制せしめる構成としている。
【００２２】
上記のように構成した請求項１に記載の発明によれば、ＡＣＬ端子電圧が重畳されたパラボラ波状の水平糸巻き歪補正電圧により、受像管の画面の輝度に応じた水平ドライブ信号が生成される。当該水平ドライブ信号が水平偏向コイルに出力され、輝度変化に伴う水平振幅変化が抑制された偏向が行われる。
【００２３】
請求項２に記載の発明は、電子銃から放出された電子ビームを偏向コイルによって偏向し、蛍光面に衝突し発光する受像管を有するテレビジョンであって、当該テレビジョンは、当該受像管のアノード電極に高圧を出力するフライバックトランスと、入力される当該フライバックトランスのＡＣＬ端子電圧の変化に基づき、受像管に表示される画像の明るさを所定の輝度に制限するＡＣＬ回路と、水平同期パルスからののこぎり波状の水平ドライブ信号を生成し、当該水平ドライブ信号を水平偏向コイルに出力する水平偏向回路と、パラボラ波状の水平糸巻き歪補正電圧を生成するとともに当該水平糸巻き歪補正電圧に基づいて前記水平ドライブ信号を変調させる水平糸巻き歪補正回路とを有し、前記ＡＣＬ端子と前記水平糸巻き歪補正回路間を抵抗を介して接続した構成としている。
【００２４】
上記のように構成した請求項２に記載の発明によれば、ＡＣＬ端子電圧が重畳されたパラボラ波状の水平糸巻き歪補正電圧による水平ドライブ信号が生成される。
【００２５】
請求項３に記載の発明は、前記ＡＣＬ端子電圧は、受像管に表示される画像の明るさが増加するのに応じて低下する相関関係を持ち、前記ＡＣＬ端子と前記水平糸巻き歪補正回路間を抵抗を介して接続して、水平糸巻き歪補正回路が生成するパラボラ波状の水平糸巻き歪補正電圧に前記ＡＣＬ端子電圧を重畳し、前記水平糸巻き歪補正電圧を補正した上で水平ドライブ信号を変調させることで、当該水平ドライブ信号に受像管に表示される画像の明るさに応じた変化を持たせ、前記フライバックトランスのレギュレーション特性に起因した、輝度変化に伴う水平振幅変化を抑制せしめる構成としている。
【００２６】
上記のように構成した請求項３に記載の発明によれば、請求項１と同様に、ＡＣＬ端子電圧が重畳されたパラボラ波状の水平糸巻き歪補正電圧により、受像管の画面の輝度に応じた水平ドライブ信号が生成される。当該水平ドライブ信号が水平偏向コイルに出力され、輝度変化に伴う水平振幅変化が抑制された偏向が行われる。
【００２７】
上記した、テレビジョンは、方法としても提供し得るものであり、そのために請求項４に記載の発明は、フライバックトランスのレギュレーション特性に起因した、テレビ画像の明るさ変化に伴う受像管における水平振幅変化を抑制する水平振幅変化抑制方法であって、受像管のアノード電極に高圧を出力するフライバックトランスから画像の明るさを所定の輝度に制限するＡＣＬ回路に受像管に表示される画像の明るさが増加するのに応じて低下するＡＣＬ端子電圧を入力するＡＣＬ端子を、水平偏向回路が水平偏向コイルに出力する水平ドライブ信号を変調させる水平糸巻き歪補正回路と、抵抗を介して接続し、当該水平糸巻き歪補正回路が生成するパラボラ波状の水平糸巻き歪補正電圧に前記ＡＣＬ端子電圧を重畳し、前記水平糸巻き歪補正電圧を補正した上で水平ドライブ信号を変調させることで、当該水平ドライブ信号に受像管に表示される画像の明るさに応じた変化を持たせ、前記フライバックトランスのレギュレーション特性に起因した、輝度変化に伴う水平振幅変化を抑制せしめる構成としている。
【００２８】
上記のように構成した請求項４に記載の発明によれば、請求項１に記載の発明と同様の作用が得られる、水平振幅変化抑制方法を提供できる。
【発明の効果】
【００２９】
請求項１に記載の発明によれば、既存の前記ＡＣＬ端子と前記水平糸巻き歪補正回路間を抵抗を介して接続するのみで、ＡＣＬ端子電圧が重畳されたパラボラ波状の水平糸巻き歪補正電圧により、受像管の画面の輝度に応じた水平ドライブ信号が生成されて、水平偏向コイルに出力され、輝度変化に伴う水平振幅変化が抑制された偏向を確実に行い得る。
【００３０】
しかも、抵抗を介したＡＣＬ端子と前記水平糸巻き歪補正回路間の接続のみで、複雑な回路による制御の付加は一切不要であるので、低コストで、極めて簡易に、輝度変化に伴う水平振幅変化を抑制せしめる。
【００３１】
請求項２に記載の発明によれば、既存の前記ＡＣＬ端子と前記水平糸巻き歪補正回路間を抵抗を介して接続するのみで、ＡＣＬ端子電圧が重畳されたパラボラ波状の水平糸巻き歪補正電圧による水平ドライブ信号が生成されて、水平偏向コイルに出力され、輝度変化に伴う水平振幅変化が抑制された偏向を確実に行い得る。
【００３２】
請求項３に記載の発明によれば、請求項１と同様に、既存の前記ＡＣＬ端子と前記水平糸巻き歪補正回路間を抵抗を介して接続するのみで、ＡＣＬ端子電圧が重畳されたパラボラ波状の水平糸巻き歪補正電圧により、受像管の画面の輝度に応じた水平ドライブ信号が生成されて、水平偏向コイルに出力され、輝度変化に伴う水平振幅変化が抑制された偏向を確実に行い得る。
【００３３】
請求項４に記載の発明によれば、請求項１に記載の発明と同様の効果が得られる、水平振幅変化抑制方法を提供できる。
【発明を実施するための最良の形態】
【００３４】
以下、本発明を具体化した実施例について説明する。
【実施例１】
【００３５】
（１）テレビジョンの構成：
（２）画像幅、歪みについて：
（３）水平偏向回路、及び水平糸巻き歪補正回路について：
（４）ＡＣＬ及びＡＣＬ端子について：
（５）動作について：
【００３６】
（１）テレビジョンの構成：
図１は、本発明の一実施形態にかかるテレビジョン１０の構成の概略ブロック図である。なお、利用者が使用する操作パネル、リモコン等は図示を省略している。
図において、テレビジョン１０は、放送受信装置として、概略、チューナＩＣ１０ａと、このチューナＩＣ１０ａに接続されたクロマＩＣ１０ｂと、チューナＩＣ１０ａとクロマＩＣ１０ｂに接続されたマイコン１０ｃとを備えている。チューナＩＣ１０ａとクロマＩＣ１０ｂとマイコン１０ｃは、ＩＩＣバス１０ｄに接続されている。そして、マイコン１０ｃがシリアルデータ通信によってテレビジョン１０全体を制御することにより、テレビジョンとしての機能を実現している。
【００３７】
チューナＩＣ１０ａは、例えば周波数シンセサイザ方式のチューナであり、マイコン１０ｃの制御によりテレビジョン放送の放送電波を受信し、中間周波信号（ＩＦ）に変換して出力する。当該チューナＩＣ１０ａは、アンテナ１０ｅ、マイコン１０ｃに接続された不図示の高周波増幅回路、この高周波増幅回路とマイコン１０ｃに接続されたやはり不図示の中間周波信号出力回路、等を備えている。中間周波信号出力回路は、マイコン１０ｃに接続された不図示の局部発振回路と、この局部発振回路と高周波増幅回路に接続された不図示の混合回路とを備えている。なお、これらの回路は、従来から採用されている種々のテレビジョン用の回路を適用することができる。
【００３８】
高周波増幅回路は、バンドパスフィルタを有しており、マイコン１０ｃの制御に基づいて、アンテナ１０ｅからこのバンドパスフィルタを介して所望周波数に対応する放送電波を受信し、増幅して高周波信号を作成し、作成した高周波信号を混合回路に出力する。局部発振回路は、ＰＬＬ（Ｐｈａｓｅ Ｌｏｃｋｅｄ Ｌｏｏｐ ）回路により構成されており、水晶発振回路からの基準発振信号を基準にして、ＰＬＬ回路により放送電波の所望周波数に対応する局部発振周波数の局部発振信号を作成して混合回路に出力する。混合回路は、高周波増幅回路からの出力と局部発振回路からの局部発振信号とを混合して中間周波信号に変換し、クロマＩＣ１０ｂに出力する。
【００３９】
クロマＩＣ１０ｂは、チューナＩＣ１０ａに接続された中間周波増幅（ＶＩＦ）回路と、マイコン１０ｃに接続されたＶＣＯ（Ｖｏｌｔａｇｅ Ｃｏｎｔｒｏｌｅｄ Ｏｓｃｉｌｌａｔｏｒ）回路、このＶＣＯ回路とＶＩＦ回路に接続された検波回路、この検波回路に接続されたＡＧＣ回路、同検波回路に接続された同期回路、等を備えている。なお、各回路は、従来から採用されている種々のテレビジョン用の回路を適用することができる。
【００４０】
ＶＩＦ回路は、チューナＩＣ１０ａから入力される中間周波信号を中間周波増幅し、中間周波増幅した中間周波信号を検波回路に出力する。ＶＣＯ回路は、マイコン１０ｃから入力される電圧に応じて発振する発振信号の発振周波数を変更することが可能であり、同電圧に対応する発振周波数で発振信号を発振する。検波回路は、発振信号の発振周波数に基づいて、ＶＩＦ回路にて中間周波増幅された中間周波信号を検波して映像信号とＡＵＤＩＯ信号とを出力する。より具体的にいうと、検波回路は、中間周波増幅された中間周波信号から発振信号の発振周波数に同期しながら映像検波を行い映像信号を分離する。さらに、同映像信号に含まれる輝度信号（Ｙ信号）と搬送色信号（Ｃ信号）と水平・垂直同期信号（ＳＹＮＣ）等をそれぞれ分離する。分離された搬送色信号に所定の色復調処理を施してＲＧＢ信号を分離し、外部に出力する。また、音声の信号については、中間周波増幅された中間周波信号のうち音声成分と発振信号とを混合して第二音声中間周波信号を作成し、ＦＭ検波を行ってＡＵＤＩＯ信号とし、外部に出力する。
【００４１】
検波回路から出力されたＲＧＢ信号はカソードアンプ１１に出力され、このカソードアンプ１１にて増幅されて受像管（ＣＲＴ）１２に供給される。すると、受像管２２は、増幅されたＲＧＢ信号に基づいて画面表示を行う。一方、上記ＡＵＤＩＯ信号についてはオーディオアンプ１０ｆに出力され、このオーディオアンプ１０ｆで増幅されてスピーカ１０ｇに供給される。そして、スピーカ１０ｇは、増幅されたＡＵＤＩＯ信号に基づいて音声を出力する。
【００４２】
同期回路は、入力される水平・垂直同期信号に基づいてのこぎり波状の水平・垂直ドライブ信号（ＤＲＩＶＥ）を作成し、水平偏向回路１３と垂直偏向回路１４に出力する。水平偏向回路１３と垂直偏向回路１４は、水平ドライブ信号と垂直ドライブ信号に対応した所定の水平ドライブ電流と垂直ドライブ電流を作成し、受像管１２に取り付けられた水平偏向コイル１３ａと垂直偏向コイル１４ａにそれぞれ供給することにより、電子ビームを水平・垂直方向にドライブさせる。また、水平偏向回路１３には水平糸巻き歪み補正回路１５が接続されており、受像管１２の管面の両サイドに発生する糸巻き状の歪みを解消している。水平偏向回路で生じる高周波信号は、フライバックトランス（ＦＢＴ）１６に供給され、受像管１２のアノード電極１２ａに供給する高圧ＨＶが発生するようになっている。その結果、受像管１２ではＲＧＢ信号に応じた電子ビームがドライブされながら放出され、受像管１２の管面に画像が現れることになる。
【００４３】
ＡＣＬ（Ａｕｔｏ Ｃｏｎｔｒａｓｔ Ｌｉｍｉｔ）回路１７においては、フライバックトランス１６から受像管１２の管面の輝度に基づく電圧の変化をＡＣＬ電圧として取得している。このＡＣＬ電圧は、クロマＩＣ１０ｂに入力され、クロマＩＣ１０ｂは受像管１２の管面の輝度が所定量より大きくなるとカソードアンプ１１に出力されるＲＧＢ信号を制限する。従って、管面の輝度が過大となることが防止されている。
【００４４】
マイコン１０ｃは、上記高周波増幅回路や局部発振回路やＶＣＯ回路に制御電圧を出力する。この制御を行うため、マイコン１０ｃは、ＣＰＵ１０ｈ、ＲＯＭ１０ｉ、ＲＡＭ１０ｊ、Ｄ／Ａ変換器１０ｋ、Ｉ／Ｏポート１０ｌ、図示しないＡ／Ｄ変換器、タイマ回路、等を内蔵している。ここで、同マイコン１０ｃや、チューナＩＣ１０ａや、クロマＩＣ１０ｂや、カソードアンプ１１や、受像管１２等のデバイスには電源装置１８から複数種類の二次側の直流電圧が供給されており、これらのＩＣは同直流電圧を利用して動作するようになっている。
【００４５】
（２）画像幅、歪みについて：
図２は、本発明の一実施形態にかかるテレビジョン１０の受像管１２の入力系統をブロック図により示している。同図において、電源装置１８により二次側直流電圧＋Ｂが生成されている。二次側直流電圧＋Ｂは、水平偏向回路１３に入力されており、水平偏向回路１３からは水平ドライブ電流が出力されている。水平ドライブ電流は水平偏向コイル１３ａに入力されており、これらが磁界を発生させることにより受像管１２の管面に向かう電子ビームに水平方向の振幅を発生させている。従って、電子ビームの振幅で決定される受像管１２に映し出される画像の水平幅は、水平ドライブ電流の振幅に依存している。
【００４６】
電子ビームを受像管１２の管面に投射する電子銃は、受像管１２の管面の幅方向および高さ方向の略中央位置に配設される。従って、受像管１２の管面はやや球面を帯びるものの略平面状に形成されるため、電子銃と受像管１２の管面との距離は同管面の中央から外縁に近づくにつれて長くなる。すなわち、受像管１２の管面の中央部に投射される電子ビームは、同管面の外縁に投射される電子ビームより経路が短く偏向されにくい。従って、図３に示すような放物線状の糸巻き歪みが発生することとなる。同図において、上下中央位置のラスターは、上下端部ラスターより短くなっている。上下端部のラスターほど左右中央部が内側に向かって歪まされている。このような糸巻き歪みは、特に大型の管面を有する受像管に発生しやすく、水平方向の糸巻き歪みを解消するために本実施形態においては水平糸巻き歪み補正回路１５が備えられている。
【００４７】
一方、水平ドライブ電流が入力される水平偏向コイル１３ａは抵抗分が少ないため、のこぎり波状の水平ドライブ電流の帰線期間には非常に大きいパルス電圧が発生することとなる。このパルス電圧をフライバックトランス１６に入力するとともに、同フライバックトランス１６にて昇圧し高圧ＨＶを生成している。高圧ＨＶは、受像管１２のアノード電極１２ａに入力されている。一方、クロマＩＣ１０ｂは、ＲＧＢ信号をカソードアンプ１１に出力している。ここで、カソードアンプ１１に出力される画像の輝度が高い場合にはビーム電流が大きくなり、高圧ＨＶの負荷が増加する。すると、高圧ＨＶの電位は低下し電子ビームはより水平偏向コイル１３ａと垂直偏向コイル１４ａの影響を受けることとなる。従って、このとき受像管１２の画像幅は大きくなる。反対に、カソードアンプ１１に出力される画像の輝度が小さい場合には高圧ＨＶの電位が高くなるため、受像管１２の画像幅は小さくなる。
【００４８】
画像の輝度が過剰に大きいと画像に白つぶれが発生したり受像管１２の寿命を短くさせる原因ともなる。また、高圧ＨＶの負荷が大きくなるため、高圧発生回路が破壊されるおそれもある。そこで、本実施形態においてはＡＣＬ回路１７を設けてビーム電流を制限している。ＡＣＬ回路１７は所定量より画像の輝度が大きいときには、クロマＩＣ１０ｂに作用してカソードアンプ１１に出力されるＲＧＢ信号を規制させる。従って、画像の輝度が所定量より大きくなることを制限するとともに、同時に高圧ＨＶの電位の低下も抑制されるため受像管１２に映し出される画像が大きくなることも防止されている。
【００４９】
（３）水平偏向回路、及び水平糸巻き歪補正回路について：
図４は、水平偏向回路１３、及び水平糸巻き歪補正回路１５の構成を示している。
【００５０】
同図において、水平偏向回路１３は水平同期パルスから水平発振パルスを生成する発振回路１３ｂと、同水平発振パルスからのこぎり波状の水平ドライブ信号を発生させ水平偏向コイル１３ａに出力する変調回路１３ｃとから成る。
【００５１】
発振回路１３ｂは水平発振トランジスタＱ１１に水平同期パルスを入力することで水平発振パルスを生成している。
【００５２】
変調回路１３ｃは、後述する水平糸巻き歪補正回路１５側を水平発振トランジスタＱ１１のベースに接続すると共に当該ベースをダイオードＤ１１、及び抵抗Ｒ１３を介してＧＮＤ接続し、更に水平発振トランジスタＱ１１のベースとコレクタ間を抵抗Ｒ１１を介してバイパス接続している。
【００５３】
又、変調回路１３ｃは、水平偏向コイル１３ａ側に抵抗Ｒ１２及びツェナーダイオードＺＤ１１から成る並列回路と、当該並列回路を介し、一端を水平発振トランジスタＱ１１のコレクタ側に接続しもう一端をグランドに接続する共振コンデンサＣ１１と、同じく当該並列回路を介し、一端を水平発振トランジスタＱ１１のコレクタ側に接続しもう一端を水平偏向コイル１３ａに接続するコイルＣｏ１１とコンデンサＣ１２とから成る並列回路とを接続して構成されている。
【００５４】
すなわち、変調回路１３ｃはダイオードモジュレータ式の変調回路を構成し、入力された水平発振パルスに基づいて水平偏向コイル１３ａにのこぎり波状の水平ドライブ信号を生成することが可能となっている。
【００５５】
水平糸巻き歪み補正回路１５は、のこぎり波状の垂直ドライブ電流からパラボラ波の補正電圧を生成し、水平発振トランジスタＱ１１のベースに出力することで、のこぎり波状の水平ドライブ信号に重畳するようになっている。
【００５６】
図５は、パラボラ波状の補正電圧に基づいて変調された水平ドライブ信号の波形を模式的に示している。同図において、パラボラ波状の補正電圧は垂直周期に同期しているため、中央のラスターに相当する水平ドライブ電流ほどパラボラ状にパルス振幅が増大させられる。従って、電子ビームの経路長が短い中央のラスターも十分に偏向させることができ、中央のラスターが短くなることが防止できる。すなわち、水平方向の糸巻き歪みを補正することが可能となっている。
【００５７】
（４）ＡＣＬ及びＡＣＬ端子について：
ＡＣＬ（Ａｕｔｏ Ｃｏｎｔｒａｓｔ Ｌｉｍｉｔ）回路１７においては、フライバックトランス１６から受像管１２の管面の輝度に基づく電圧の変化をＡＣＬ電圧として取得している。
【００５８】
即ち、フライバックトランス１６のＡＣＬ端子１６ａとＡＣＬ回路１７間にはＡＣＬ端子電圧調整回路１９が設けられている。当該ＡＣＬ端子電圧調整回路１９は、ベース−コレクタ間が抵抗を介してバイパスされると共にエミッタがＧＮＤ接続されたトランジスタＱ１２を備え、更に、当該トランジスタＱ１２のエミッタ側には、例えば３．３Ｖの電源と、ＡＣＬ回路１７とが各々接続されている。
【００５９】
Ａ点におけるＡＣＬ端子電圧は、図６に示すように、輝度電流の増加に伴い、減少する特性を有している。即ち、受像管の画面が明るくなると、輝度電流が増加し、それに伴ってＡＣＬ端子電圧が低下する。一方、画面が暗くなると、輝度電流が減少し、それに伴ってＡＣＬ端子電圧が上昇する。よって、ＡＣＬ端子電圧は、受像管の画面の明るさと相関関係にある。
【００６０】
従って、受像管の画面が暗い場合には、Ａ点におけるＡＣＬ端子電圧が高いので、前記ＡＣＬ端子電圧調整回路１９はトランジスタＱ１２をオンし、電源電圧をＧＮＤに落とす。その結果、ＡＣＬ回路１７に入力される電圧は０Ｖとなる。
【００６１】
一方、受像管の画面が明るい場合には、Ａ点におけるＡＣＬ端子電圧が低くなるので、前記ＡＣＬ端子電圧調整回路１９はトランジスタＱ１２をオフし、電源電圧ラインはＧＮＤと遮断される。そして、ＡＣＬ回路１７は、トランジスタＱ１２のベース−コレクタ間に設けられたバイパスを経由して、ＡＣＬ端子１６ａと接続されているので、所定電圧がＡＣＬ回路１７に入力される。
【００６２】
当該ＡＣＬ回路１７は当該所定電圧の入力を受け、ＡＣＬ電圧を生成し、クロマＩＣ１０ｂに出力する。クロマＩＣ１０ｂは入力されたＡＣＬ電圧に基づき、受像管１２の管面の輝度が所定量より大きくなるとカソードアンプ１１に出力されるＲＧＢ信号を制限する。従って、管面の輝度が過大となることが防止されている。
【００６３】
又、前記ＡＣＬ端子１６ａのＡ点は、抵抗Ｒ１４を介して水平偏向回路１３を構成する前記発振回路１３ｂと接続されている。これにより、前記ＡＣＬ端子電圧が前記抵抗Ｒ１４で適宜調整された上、水平糸巻き歪み補正回路１５が生成したパラボラ波状の水平糸巻き歪補正電圧に重畳され、水平発振トランジスタＱ１１のベースに入力される。  
【００６４】
当該水平糸巻き歪補正電圧１５に重畳されるＡＣＬ端子電圧は、前述したように、受像管の画面輝度の増加に応じて減少するという相関関係がある。従って、ＡＣＬ端子電圧の重畳により、水平糸巻き歪補正電圧は受像管１２の画面輝度の増減に応じて変化するように補正されることとなる。この結果、当該水平糸巻き歪補正電圧に基づき、前記水平偏向回路１３にて生成される補正済みの前記のこぎり波状の水平ドライブ信号は、受像管１２の画面輝度に応じて補正状態が適宜調整され、当該水平ドライブ信号により電子ビームを偏向することによって、フライバックトランス１６のレギュレーション特性に起因する水平振幅変化を、確実に抑制することが可能となる。
【００６５】
しかも、抵抗Ｒ１４を介したフライバックトランス１６のＡＣＬ端子１６ａと前記水平糸巻き歪補正回路１５間の接続のみという極めて簡易な回路構成の追加のみで、複雑な回路による制御の付加は一切不要であるので、低コストで、極めて容易に、輝度変化に伴う水平振幅変化を抑制せしめる。
【００６６】
尚、本願発明は本実施例の構成に限定されるものではなく、以下に列記する構成について、適宜変更可能である。
【００６７】
１．本実施例で説明した、水平偏向回路、或いは水平糸巻き歪補正回路の具体的な回路構成は一例に過ぎず、これに限定されるものではない。要は、フライバックトランスのＡＣＬ端子と水平糸巻き歪補正回路間の抵抗を介した接続により、ＡＣＬ端子電圧によって水平糸巻き歪補正電圧を受像管の画面輝度の増減に応じるように重畳補正可能であれば良い。
【００６８】
２．本実施例で説明したテレビジョンの具体的な構成は一例に過ぎず、これに限定されるものではない。ＡＣＬ端子を有するフライバックトランスと、水平偏向回路、及び水平糸巻き歪補正回路を備える受像管式のテレビジョンであれば、適用可能である。
【００６９】
３．以上に述べたテレビジョンとしての構成のみならず、同様の構成による水平振幅変化抑制方法としても提供し得るのは言うまでも無い。
【産業上の利用可能性】
【００７０】
フライバックトランスのレギュレーション特性に起因した、映像信号の明暗の変化に伴う水平偏向振幅（高圧）の変動を、低コストで簡易に抑制するテレビジョン、及び水平振幅変化抑制方法を提供する
【図面の簡単な説明】
【００７１】
【図１】本発明の実施例１を説明する概略ブロック図である。
【図２】本発明の実施例１を説明する概略ブロック図である。
【図３】本発明の実施例１を説明する概略模式図である。
【図４】本発明の実施例１を説明する概略ブロック図である。
【図５】本発明の実施例１を説明する概略模式図である。
【図６】本発明の実施例１を説明する概略グラフである。
【符号の説明】
【００７２】
１０…テレビジョン
１１…カソードアンプ
１６…フライバックトランス
１２ａ…アノード電極
１６ａ…ＡＣＬ端子
１２…受像管
１７…ＡＣＬ回路
１３ａ…水平偏向コイル
１３…水平偏向回路
１５…水平糸巻き歪補正回路
Ｒ１４…抵抗
【図１】
2006287436.tif 000003
【図２】
2006287436.tif 000004
【図３】
2006287436.tif 000005
【図４】
2006287436.tif 000006
【図５】
2006287436.tif 000007
【図６】
2006287436.tif 000008